(57)【特許請求の範囲】
【請求項１】
（１）垂直に配置された二分割型金型キャビティであって、金型の外周には環状封鎖部材が配置されており、該封鎖部材に取付けた使い捨て逆止弁を通して、重合性合成組成物を金型に充填し；
（２）レンズを形成するために該組成物を重合し；そして、
（３）レンズと、レンズの外周の、重合した組成物の中に取込まれた使い捨て逆止弁を回収することを特徴とする光学レンズの製造方法。
【請求項２】
逆止弁がかものはし型弁であることを特徴とする請求項１に記載の光学レンズの製造方法。
【請求項３】
逆止弁が封鎖部材の底部に取付けられていることを特徴とする請求項１に記載の光学レンズの製造方法。
【請求項４】
環状封鎖部材が接着テープであり、逆止弁が接着テープに開けられた孔に挿入されていることを特徴とする請求項１に記載の光学レンズの製造方法。
【請求項５】
さらに、逆止弁を除去するために、回収されたレンズを端仕舞機に懸ける工程を含むことを特徴とする請求項１に記載の光学レンズの製造方法。
【請求項６】
レンズがマイナスレンズであることを特徴とする請求項１に記載の光学レンズの製造方法。
【発明の詳細な説明】
【０００１】
【発明の属する技術分野】
本発明は、重合性合成組成物から光学レンズ、特に眼鏡レンズを成形する方法に関する。
【０００２】
【従来の技術】
従来の金型は、一般には無機ガラスで製造された二部分からなり、その外周にガスケットまたは接着テープのような環状封鎖部材が取付けられていて、必要な金型キャビティを構成している。上記のような二分割型金型に充填する通常の方法は、成形材料を封鎖部材に、そのために設けた注入口を通して金型キャビティに流入する方法による。
【０００３】
少なくとも一部が自動化された方法においては、充填されるべき金型は、ノズルを通して特に大量の成形材料を分配するために設けた充填機構とともに、垂直に配置されている。このような垂直に配置された金型の可能性の一つは、金型外周の上部に設けたノズルを通して、重力だけで、金型キャビィティを充填できることである。例えば米国特許第５，１１０，５１４号を参照ください。
【０００４】
例えば金型への充填と重合開始の間の時間が比較的長く（例えば２時間程度）、特別な手段が実行されないときには、得られた光学レンズには、しばしば大小の光学的欠陥が局在し、不合格の比率が高くなることが経験的に知られている。
【０００５】
上記課題を克服するために、米国特許第５，５４７，６１８号と５，６６２，８３９号は、さほど加圧することなく成形材料を流動させるために備えたポンプ機構を用い、封鎖部材の下方部に設けた注入口を通して、垂直に配置されている二分割型金型の金型キャビィティを充填することを提案している。
【０００６】
金型キャビティへの通常の充填は、加圧された成形材料用タンクに連結し、充填用ノズルのような注入口に向けられたパイプを用いて実施される。このような方法により、充填後、直ちに重合を開始することができる。しかし、米国特許第５，９７３，０９８号に記載された配合物のように、成形材料が室温で１０分以下で反応する場合には、パイプが急速に詰まる。米国特許第３，０７０，８４６号に記載されたフラップバルブの使用は、詰まりの問題が依然としてあるので、解決にはならない。
【０００７】
【発明が解決しようとする課題】
かくして、本発明の目的は、先行技術の方法と金型の欠点を解消する、垂直に配置された二分割金型を用いて、重合性合成組成物、特に速硬化性組成物から、光学レンズ、特に眼鏡レンズを成形する方法を提供することである。
本発明の他の目的は、金型の底部から充填する上記方法を提供することである。
【０００８】
【課題を解決するための手段】
本発明の目的は、
（１）垂直に配置された二分割型金型キャビティであって、金型の外周には環状封鎖部材が配置されており、該封鎖部材に取付けた使い捨て逆止弁を通して、重合性合成組成物を金型に充填し；
（２）レンズを形成するために組成物を重合し；そして、
（３）レンズと、レンズの外周の、重合した組成物の中に取込まれた使い捨て逆止弁を回収することを特徴とする光学レンズの製造方法の発明により達成される。
【０００９】
逆止弁は封鎖部材の底部に取付けられているのが好ましい。
好ましくは、逆止弁はかものはし型弁である。かものはし型弁はよく知られており、医薬の注射に常用されている。
かものはし型弁の実態は欧州特許９９８，９５１号に開示されている。
他のかものはし型弁はベルナイラボラトリーズ社（Vernay Laboratories)から販売されている。
逆止弁、特にかものはし型弁は、アルミニウム、ステンレス鋼、銅、真鍮、ポリプロピレン、ポリテトラフルオロエチレン（ＰＴＦＥ）とポリ（テトラエチレンフルオロエチレン／パーフルオロビニルエーテル）のような好適な材料から製造される。
【００１０】
重合性合成組成物は、好ましくは室温硬化性組成物であり、特に室温で、１０分以内で硬化する速硬化性組成物である。このような組成物は米国特許第５，９７３，０９８号に開示されている。
【００１１】
【発明の実施の形態】
図１に、二分割型金型１０と逆止弁１５の断面が示している。
二分割型金型１０は、好ましくは無機ガラス製の前部１１と後部１２と、前後部１１，１２の周囲に設けた、接着テープのような環状封鎖材料１３により構成される。前後部１１，１２と環状封鎖材料１３は、図１に示されるように、マイナス眼鏡レンズを成形するための金型キャビティを構成する。
金型は垂直に保持され、またへりには、中心の水平軸ＨＨに垂直な垂直軸の方向に展開している金型キャビティ１４があり、金型キャビティ１４は、金型１０の中心の水平軸ＨＨに関して対称的な上半分と下半分から構成される。
【００１２】
図１の実施態様の逆止弁１５、図２Ａの実施態様のかものはし型弁は、金型１０の外部から金型キャビティ１４への流入を確保するために、封鎖部材１３の下方部または底部に注入口を配置している。
かものはし型弁１５は、パイプ（図示していない）を介して、重合性合成組成物を含有する加圧タンク（図示していない）に連結されている。線量弁（図示していない）は、重合性合成組成物のかものはし型弁１５への配分を管理するために、加圧タンクとパイプの間を連結する位置にあるのが好ましい。
【００１３】
よく知られるように、かものはし型弁１５は初めは閉じており、タンクから配分された材料による僅かな加圧で開き、かくして金型キャビティを充填する。一度、金型キャビティが  重合性合成組成物により完全に充填され、材料の重合が生じると、金型１０は通常通り開放され、かものはし型弁１５は重合した材料の中に取込まれたまま残る。その後、回収されたレンズは仕上げレンズを得るために、かものはし型弁１５を除去する端仕舞が行なわれる。
もちろん、図２Ｂ〜２Ｉに示した他の型のかものはし型弁は、図２Ａのかものはし型弁の代わりに使用できる。
【００１４】
【実施例】
金型一式がシリコン離型剤で処理された前後二分割型金型の組立てと、接着テープによる一体化により構築された。前部金型と後部金型は次の通りであった。
0003990583.tif 000002
【００１５】
直径４ｍｍの孔が接着テープに開けられ、図２Ａに示すような、かものはし型弁が孔に挿入された。
図２Ａのかものはし型弁は、弾性ポリマーから構成され、弁が接着テープ２３に作られた孔に挿入された時に形状を変えることができる。その後、弁は初めの形状を回復する。図２Ａのかものはし型弁は、弁自体２０と、相互に向合い、接着テープ２３と協働作用で弁をしっかり固定し、重合性材料の漏れを回避する、二つの接合部２１，２２とから構成される。より精確には、バルブ自体２０に近い位置にある第一接合部２１は、かものはし型弁自体２０の直径より僅かに大きい直径の環状フランジである。第二接合部２２は、第一接合部２１を構成するフランジより直径が大きいフランジである。
【００１６】
金型は、その底部にあるかものはし型弁で端を支持され、そして米国特許第５, ９７３, ０９８の実施例１によって調製された重合性組成物が、かものはし型弁を通って金型に導入された。
５分後、室温でゲルが得られた。その後、金型一式はエアオーブンに入れられ、１２０℃で２時間加熱された。
その後、金型一式はオーブンから取出され、テープが剥がされ、金型が解体され、重合性材料で囲まれたかものはし型弁とレンズを回収した。かものはし型弁は、それからレンズの古典的端仕舞機を用いて除去された。
【図面の簡単な説明】
【図１】  本発明方法を実施するための、二分割金型と逆止め弁の横断面の概略図である。
【図２】  Ａ〜Ｉは、本発明方法の実施に有用な、商業的に入手可能なかものはし型弁の例である。
【符号の説明】
１０：    二分割型金型
１１：    金型前部
１２：    金型後部
１３：    環状封鎖材料
１４：    金型キャビテイー
１５：    かものはしか型逆止弁
２１：    第一接合部
２２：    第二接合部
２３：    接着テープ
【図１】
0003990583.tif 000003
【図２】
0003990583.tif 000004